(57)【要約】【課題】アキュムレータの振動を抑制する。【解決手段】アキュムレータ３は、固定機構４によりケーシング２に対して固定されている。固定機構４は、ケーシング２の外周面に固定された支持台４０と、支持台４０に固定された上斜め掛けベルト５０とを有する。上斜め掛けベルト５０は、支持台４０からアキュムレータ３の上端面３ａまで上斜め方向に掛けられている。支持台４０により、アキュムレータ３がケーシング２側に移動するのが規制される。また、アキュムレータ３がケーシング２と反対側や上方向に移動しようとすると、上斜め掛けベルト５０がアキュムレータ３の上端面３ａを押圧することにより、支持台４０に向かった力Ｆ１が作用する。これにより、アキュムレータ３の上方向への移動が規制されるとともに、水平方向への移動が規制される。【選択図】図１
2013160207.tif 000002
【特許請求の範囲】
【請求項１】
圧縮機構が内部に配置されたケーシングと、
前記ケーシングの外部に配置された筒状部材と、
前記筒状部材を前記ケーシングに対して固定する固定機構とを備え、
前記固定機構は、前記筒状部材が前記ケーシングに対して水平方向に移動するのを規制すると共に、前記筒状部材が前記ケーシングに対して上方向及び下方向の少なくとも一方に移動するのを規制することを特徴とする圧縮機。
【請求項２】
前記筒状部材の端面が、軸方向外側に突出した曲面に構成され、
前記固定機構は、
前記ケーシングの外周面に固定された第１支持台と、
前記第１支持台に固定され、前記ケーシングの軸方向に対して傾斜し且つ前記筒状部材の前記曲面に構成された前記端面の前記ケーシングと反対側部分に当接する傾斜部材とを有することを特徴とする請求項１に記載の圧縮機。
【請求項３】
前記筒状部材が、その外周面から径方向外側に向かって突出した突出部を有し、
前記固定機構は、
前記ケーシングの外周面に固定された第２支持台と、
前記第２支持台に固定され、前記筒状部材の外周面に当接する外周部材とを有し、
前記第２支持台及び前記外周部材の少なくとも一方が前記突出部の軸方向端面に当接することを特徴とする請求項１又は２に記載の圧縮機。
【請求項４】
前記筒状部材は、第１部材と第２部材とを有し、
前記第１部材の端部には、前記突出部として、前記第２部材の端部に接続する大径部が設けられ、
前記第２部材の端部は、前記大径部の内周面に接続されることを特徴とする請求項３に記載の圧縮機。
【請求項５】
前記筒状部材の端面が、軸方向外側に突出した曲面に構成され、
前記固定機構は、前記ケーシングの外周面に固定され且つ前記筒状部材の前記曲面に構成された前記端面に当接する第１支持部材を有することを特徴とする請求項１〜４のいずれか１項に記載の圧縮機。
【請求項６】
前記筒状部材から前記圧縮機構に冷媒を供給する前記吸入管は、前記ケーシングに設けられた吸入管取り付け部に接続され、
前記筒状部材の端面が、軸方向外側に突出した曲面に構成され、
前記固定機構は、前記吸入管取り付け部に固定され且つ前記筒状部材の前記曲面に構成された前記端面に当接する第２支持部材を有することを特徴とする請求項１〜５のいずれか１項に記載の圧縮機。
【発明の詳細な説明】
【技術分野】
【０００１】
本発明は、圧縮機構を収容するケーシングの外部に配置されたアキュムレータ等を備えた圧縮機に関するものである。
【背景技術】
【０００２】
従来から、ケーシングの内部に配置された圧縮機構と、ケーシングの外部に配置され、圧縮機構に配管を介して冷媒を供給するアキュムレータ等とを備えた圧縮機が知られている。特許文献１に示すように、アキュムレータは、ケーシングに固定された支持台と、アキュムレータの外周面に周方向に沿って当接したバンドとにより、ケーシングに対して固定されている。そして、上記支持台及びバンドにより、アキュムレータのケーシングに対する水平方向への移動が規制されるため、アキュムレータの水平方向への振動を抑制できる。
【先行技術文献】
【特許文献】
【０００３】
【特許文献１】特開平０９−１３７７８８号公報
【発明の概要】
【発明が解決しようとする課題】
【０００４】
上記特許文献１では、アキュムレータが上方向や下方向へ移動するのを規制できないため、アキュムレータの上方向や下方向への振動を抑制できない。
【０００５】
そこで、本発明は、アキュムレータの水平方向への振動及び上下方向への振動を抑制できる圧縮機を提供することを目的とする。
【課題を解決するための手段】
【０００６】
第１の発明に係る圧縮機は、圧縮機構が内部に配置されたケーシングと、前記ケーシングの外部に配置された筒状部材と、前記筒状部材を前記ケーシングに対して固定する固定機構とを備え、前記固定機構は、前記筒状部材が前記ケーシングに対して水平方向に移動するのを規制すると共に、前記筒状部材が前記ケーシングに対して上方向及び下方向の少なくとも一方に移動するのを規制する。ここで、本発明の筒状部材には、ケーシングの外部に配置され、圧縮機構に吸入管を介して冷媒を供給するアキュムレータや吸入マフラーが含まれる。
【０００７】
この圧縮機では、固定機構により、筒状部材がケーシングに対して水平方向に移動するのを規制できると共に、筒状部材がケーシングに対して上方向及び下方向の少なくとも一方に移動するのを規制できるため、筒状部材が水平方向へ振動するのを抑制できるとともに、上方向及び下方向の少なくとも一方に振動するのを抑制できる。
【０００８】
第２の発明に係る圧縮機は、第１の発明において、前記筒状部材の端面が、軸方向外側に突出した曲面に構成され、前記固定機構は、前記ケーシングの外周面に固定された第１支持台と、前記第１支持台に固定され、前記ケーシングの軸方向に対して傾斜し且つ前記筒状部材の前記曲面に構成された前記端面の前記ケーシングと反対側部分に当接する傾斜部材とを有する。
【０００９】
この圧縮機では、傾斜部材を、筒状部材の端面におけるケーシングと反対側部分に当接させることにより、簡易な構成で、筒状部材が水平方向へ移動するのを規制できるとともに、上方向及び下方向の少なくとも一方に移動するのを規制できる。
【００１０】
第３の発明に係る圧縮機は、第１又は第２の発明において、前記筒状部材が、その外周面から径方向外側に向かって突出した突出部を有し、前記固定機構は、前記ケーシングの外周面に固定された第２支持台と、前記第２支持台に固定され、前記筒状部材の外周面に当接する外周部材とを有し、前記第２支持台及び前記外周部材の少なくとも一方が前記突出部の軸方向端面に当接する。
【００１１】
この圧縮機では、外周部材により筒状部材が水平方向へ移動するのを規制できるとともに、第２支持台及び前記外周部材の少なくとも一方が筒状部材の大径部に当接することにより、筒状部材が上方向及び下方向の少なくとも一方に移動するのを規制できる。これにより、簡易な構成で、筒状部材が水平方向へ振動するのを抑制できるとともに、上方向及び下方向の少なくとも一方に振動するのを抑制できる。
【００１２】
第４の発明に係る圧縮機は、第３の発明において、前記筒状部材は、第１部材と第２部材とを有し、前記第１部材の端部には、前記突出部として、前記第２部材の端部に接続する大径部が設けられ、前記第２部材の端部は、前記大径部の内周面に接続される。
【００１３】
この圧縮機では、筒状部材を構成する第１部材と第２部材との接続部に、突出部として大径部を設けることにより、簡易な構成で、筒状部材が水平方向へ振動するのを抑制できるとともに、上方向及び下方向の少なくとも一方に振動するのを抑制できる。
【００１４】
第５の発明に係る圧縮機は、第１〜第４の発明において、前記筒状部材の端面が、軸方向外側に突出した曲面に構成され、前記固定機構は、前記ケーシングの外周面に固定され且つ前記筒状部材の前記曲面に構成された前記端面に当接する第１支持部材を有する。
【００１５】
この圧縮機では、第１支持部材をケーシングの外周面及び筒状部材の曲面状の端面に当接させることにより、簡易な構成で、筒状部材が水平方向に移動するのを規制できるとともに、上方向及び下方向の少なくとも一方に移動するのを規制できる。
【００１６】
第６の発明に係る圧縮機は、第１〜第５の発明において、前記筒状部材から前記圧縮機構に冷媒を供給する前記吸入管は、前記ケーシングに設けられた吸入管取り付け部に接続され、前記筒状部材の端面が、軸方向外側に突出した曲面に構成され、前記固定機構は、前記吸入管取り付け部に固定され且つ前記筒状部材の前記曲面に構成された前記端面に当接する第２支持部材を有する。
【００１７】
この圧縮機では、第２支持部材を吸入管取り付け部及び筒状部材の曲面状の端面に当接させることにより、簡易な構成で、筒状部材が水平方向へ移動するのを規制できるとともに、上方向及び下方向の少なくとも一方に移動するのを規制できる。
【発明の効果】
【００１８】
以上の説明に述べたように、本発明によれば、以下の効果が得られる。
【００１９】
第１の発明では、固定機構により、筒状部材がケーシングに対して水平方向に移動するのを規制できると共に、筒状部材がケーシングに対して上方向及び下方向の少なくとも一方に移動するのを規制できるため、筒状部材が水平方向へ振動するのを抑制できるとともに、上方向及び下方向の少なくとも一方に振動するのを抑制できる。
【００２０】
第２の発明では、傾斜部材を、筒状部材の端面におけるケーシングと反対側部分に当接させることにより、簡易な構成で、筒状部材が水平方向へ移動するのを規制できるとともに、上方向及び下方向の少なくとも一方に移動するのを規制できる。
【００２１】
第３の発明では、外周部材により筒状部材が水平方向へ移動するのを規制できるとともに、第２支持台及び前記外周部材の少なくとも一方が大径部に当接することにより、筒状部材が上方向及び下方向の少なくとも一方に移動するのを規制できる。これにより、簡易な構成で、筒状部材が水平方向へ振動するのを抑制できるとともに、上方向及び下方向の少なくとも一方に振動するのを抑制できる。
【００２２】
第４の発明では、筒状部材を構成する第１部材と第２部材との接続部に大径部を設けることにより、簡易な構成で、筒状部材が水平方向へ振動するのを抑制できるとともに、上方向及び下方向の少なくとも一方に振動するのを抑制できる。
【００２３】
第５の発明では、第１支持部材をケーシングの外周面及び筒状部材の曲面状の端面に当接させることにより、簡易な構成で、筒状部材が水平方向へ移動するのを規制できるとともに、上方向及び下方向の少なくとも一方に移動するのを規制できる。
【００２４】
第６の発明では、第２支持部材を吸入管取り付け部及び筒状部材の曲面状の端面に当接させることにより、簡易な構成で、筒状部材が水平方向へ移動するのを規制できるとともに、上方向及び下方向の少なくとも一方に移動するのを規制できる。
【図面の簡単な説明】
【００２５】
【図１】本発明の第１実施形態に係る圧縮機の正面図である。
【図２】図１に示す圧縮機の概略断面図である。
【図３】図１に示す圧縮機の平面図である。
【図４】本発明の第２実施形態に係る圧縮機の正面図である。
【図５】図４に示す圧縮機の平面図である。
【図６】本発明の第３実施形態に係る圧縮機の正面図である。
【図７】図６に示す圧縮機の平面図である。
【図８】本発明の第４実施形態に係る圧縮機の正面図である。
【図９】図８に示す圧縮機の平面図である。
【図１０】本発明の第５実施形態に係る圧縮機の正面図である。
【図１１】図１０に示す圧縮機の平面図である。
【図１２】図１０に示す支持台の斜視図である。
【図１３】本発明の第６実施形態に係る圧縮機の正面図である。
【図１４】図１３に示す圧縮機の平面図である。
【図１５】図１４に示す支持台の斜視図である。
【図１６】本発明の変形例１に係る圧縮機の正面図である。
【図１７】本発明の変形例２に係る圧縮機の正面図である。
【図１８】本発明の変形例３に係る圧縮機の正面図である。
【図１９】本発明の変形例４に係る圧縮機の正面図である。
【図２０】本発明の変形例５に係る圧縮機の正面図である。
【図２１】本発明の変形例６に係る圧縮機の正面図である。
【図２２】本発明の変形例７に係る圧縮機の正面図である。
【図２３】本発明の変形例８に係る圧縮機の正面図である。
【図２４】本発明の変形例９に係る圧縮機の正面図である。
【図２５】本発明の変形例１０に係る圧縮機の正面図である。
【発明を実施するための形態】
【００２６】
〔第１実施形態〕
以下、図１〜図３を参照しつつ、本発明の第１実施形態について説明する。
【００２７】
（圧縮機の構成）
図１に示すように、圧縮機１は、ケーシング２と、ケーシング２の外部に配置されたアキュムレータ（筒状部材）３と、アキュムレータ３をケーシング２に対して固定する固定機構４とを有する。図２に示すように、ケーシング２の内部には、圧縮機構５と、圧縮機構５を駆動する駆動機構６とが配置されている。圧縮機構５は、駆動機構６の下方に配置され、シリンダ１０５と、フロントヘッド１０６と、リアヘッド１０７とを有する。また、駆動機構６は、駆動源となるモータ７と、モータ７によって駆動されるシャフト８とを有する。モータ７は、環状のコア９を含むステータ１０と、その径方向内側に配置されたロータ１１とを有する。なお、図２では、本発明を１シリンダ型のロータリ圧縮機に適用した例を示している。
【００２８】
アキュムレータ３から供給された冷媒は、吸入管１２を介してケーシング２内に導入され、圧縮機構５で圧縮された後、排出管１３から排出される。本実施形態では、ケーシング２の軸方向が上下方向と一致する場合を示しており、以下では、ケーシング２の軸方向を上下方向として説明し、ケーシング２の軸方向に垂直な方向を水平方向として説明する。
【００２９】
<ケーシング>
図１に示すように、ケーシング２は、両端が塞がれた円筒状の容器であり、筒状の本体２１と、本体２１の上端の開口を塞ぐ上蓋体２２と、本体２１の下端の開口を塞ぐ下蓋体２３とを有する。上蓋体２２及び下蓋体２３は、本体２１の中空の外側に向かって突出するように湾曲している。また、本体２１の外周面には、支持台４０が固定されている。
【００３０】
図１，３に示すように、上蓋体２２には、排出管１３と、駆動機構６のステータ１０のコイルに電流を供給する端子１４と、端子１４を保護する保護カバー１５とが設けられている。
【００３１】
<アキュムレータ>
図１，２に示すように、アキュムレータ３は、圧縮機構５に供給される冷媒を一時的に貯留する円筒状の容器であり、アキュムレータ３の上部を構成する上部材（第１部材）３１と、アキュムレータ３の下部を構成する下部材（第２部材）３２とを有する。図２に示すように、上部材３１の下端部には、下部材３２の略円筒状の円筒部３２ｃより径が大きな大径部（突出部）３３が設けられている。大径部３３は、上部材３１の外周面の全周から径方向外側に向かって突出するように形成され、アキュムレータの軸方向中央よりもやや上方に設けられている。また、大径部３３の内側には下部材３２が配置され、下部材３２は大径部３３の内周面に接続されている。
【００３２】
アキュムレータ３の上端面３ａは上方（外側）に向かって突出した曲面に構成され、下端面３ｂは下方（外側）に向かって突出した曲面に構成されている（図１，２参照）。図１，３に示すように、アキュムレータ３の上端面３ａには、略中央に入口管１６が設けられている。また、図１，２に示すように、アキュムレータ３の下端面３ｂでは、中央付近から吸入管１２が突出している。吸入管１２は、ケーシング２の吸入管取り付け部１７に接続されている。アキュムレータ３の上端面３ａに設けられた入口管１６からアキュムレータ３の内部に導入された冷媒は、下端面３ｂから突出した吸入管１２を通って圧縮機構５に供給される。
【００３３】
<固定機構>
図１に示すように、固定機構４は、ケーシング２の本体２１に固定された支持台（第１支持台）４０と、アキュムレータ３に当接した上斜め掛けベルト（傾斜部材）５０とを有する。図３に示すように、支持台４０は、金属製の板状部材であり、本体２１の外周面に固定される固定部４１と、固定部４１の両端から水平方向に延びた延出部４２，４３と、延出部４２，４３に連接し、アキュムレータ３の外周面に当接する当接部４４，４５と、当接部４４，４５からケーシング２側に折り返された折り返し部４６，４７とを有する。延出部４２，４３は、略平行に配置され、これらの間隔はアキュムレータの直径より小さい。
【００３４】
図１に示すように、上斜め掛けベルト５０は、両端部が支持台４０に固定され、支持台４０からアキュムレータ３の上端面３ａまで斜め上方向に掛けられることにより、上下方向に対して傾斜している。また、図３に示すように、上斜め掛けベルト５０は、アキュムレータ３の上端面３ａにおいて、ケーシング２と反対側部分（領域Ｒ１）に当接している（図３参照）。ここで、図３に示す領域Ｒ１とは、圧縮機１の平面視において、ケーシング２の中心軸とアキュムレータ３の中心軸とを通る直線ｌｃに垂直であり且つアキュムレータ３の中心軸を通る直線により、アキュムレータ３の上端面３ａを２分割したときの、ケーシング２と反対側に配置された略半円形の領域である。
【００３５】
図１，３に示すように、上斜め掛けベルト５０の一端部には、係止爪部５１が形成され、係止爪部５１は延出部４２に形成された開口４２ａに挿通し、延出部４２に係止している。また、図３に示すように、上斜め掛けベルト５０の他端部には、係止爪部５２が形成され、係止爪部５２は延出部４３に形成された開口に挿通し、延出部４３に係止している。
【００３６】
次に、固定機構４により作用する力を、図１，３を参照しつつ説明する。
【００３７】
図３に示すように、水平方向についてアキュムレータ３がケーシング２側に向かって移動しようとすると、当接部４４，４５がアキュムレータ３を押圧することにより、アキュムレータ３の中心軸に向かった力ＦＸ，ＦＹが作用する。これにより、アキュムレータ３がケーシング２側に向かって移動するのを規制できる。
【００３８】
また、アキュムレータ３が上方向に移動しようとしたり、水平方向についてケーシング２と反対側に向かって移動しようとしたりすると、図１に示すように、上斜め掛けベルト５０がアキュムレータ３の上端面３ａを押圧することにより、支持台４０に向かった斜め下方向の力Ｆ１が作用する。力Ｆ１は、ケーシング２に向かって作用する水平方向の力Ｆ１ａと、下方向に作用する力Ｆ１ｂとに分けられる。力Ｆ１ａにより、アキュムレータ３がケーシング２と反対側に向かって移動するのを規制でき、力Ｆ１ｂにより、アキュムレータ３が上方向に移動するのを規制できる。
【００３９】
以上のように、本実施形態の圧縮機１では、固定機構４により、アキュムレータ３がケーシング２に対して水平方向に移動するのを規制できると共に、アキュムレータ３が上方向に移動するのを規制できるため、アキュムレータ３が水平方向に振動するのを抑制できるとともに、上方向に振動するのを抑制できる。
【００４０】
また、本実施形態の圧縮機１では、上斜め掛けベルト５０を、アキュムレータ３の上端面３ａにおいてケーシング２と反対側の領域Ｒ１に当接させることにより、簡易な構成で、アキュムレータ３が水平方向及び上方向へ移動するのを規制できる。
【００４１】
〔第２実施形態〕
次に、図４，５を参照しつつ、本発明の第２実施形態について説明する。第２実施形態の圧縮機は、第１実施形態では上斜め掛けベルト５０を支持台４０からアキュムレータ３の上端面３ａまで斜め上方向に掛けているのに対して、第２実施形態では下斜め掛けベルト１５０を支持台１４０からアキュムレータ３の下端面３ｂまで斜め下方向に掛けている点において、第１実施形態に係る圧縮機と異なっている。なお、その他の構成は、上記第１実施形態と同様であるため、同じ符号を用いて適宜その説明を省略する。
【００４２】
図４に示すように、固定機構１０４は、支持台（第１支持台）１４０と下斜め掛けベルト１５０とを有する。図５に示すように、下斜め掛けベルト１５０は、アキュムレータ３の下端面３ｂにおいて、ケーシング２の反対側部分（図５に示す領域Ｒ２）に当接している。ここで、領域Ｒ２とは、圧縮機１の平面視において、ケーシング２の中心軸とアキュムレータ３の中心軸とを通る直線ｌｃに垂直であり且つアキュムレータ３の中心軸を通る直線により、アキュムレータ３の下端面３ｂを２分割したときの、ケーシング２と反対側に配置された略半円形の領域である。
【００４３】
図４，５に示すように、下斜め掛けベルト１５０の一端部の係止爪部１５１は、支持台１４０の開口１４２ａに挿通し、延出部１４２に係止している。また、図５に示すように、下斜め掛けベルト１５０の他端部の係止爪部１５２は、延出部１４３に形成された開口を通り、延出部１４３に係止している。
【００４４】
図４に示すように、アキュムレータ３が下方向に移動しようとしたり、水平方向についてケーシング２と反対側に向かって移動しようとしたりすると、下斜め掛けベルト１５０がアキュムレータ３の下端面３ｂを押圧することにより、支持台１４０に向かった斜め上方向の力Ｆ２が作用する。力Ｆ２は、ケーシング２に向かって作用する水平方向の力Ｆ２ａと、上方向に作用する力Ｆ２ｂとに分けられる。力Ｆ２ａにより、アキュムレータ３がケーシング２と反対側に向かって移動するのを規制でき、力Ｆ２ｂにより、アキュムレータ３が下方向に移動するのを規制できる。
【００４５】
以上のように、本実施形態の圧縮機１０１では、固定機構１０４により、アキュムレータ３がケーシング２に対して水平方向に移動するのを規制できると共に、アキュムレータ３が下方向に移動するのを規制できるため、アキュムレータ３が水平方向に振動するのを抑制できるとともに、下方向に振動するのを抑制できる。
【００４６】
また、本実施形態の圧縮機１０１では、下斜め掛けベルト１５０を、アキュムレータ３の下端面３ｂにおいてケーシング２と反対側の領域Ｒ２に当接させることにより、簡易な構成で、アキュムレータ３が水平方向及び下方向へ移動するのを規制できる。
【００４７】
〔第３実施形態〕
次に、図６，７を参照しつつ、本発明の第３実施形態について説明する。第３実施形態の圧縮機は、第１実施形態では上斜め掛けベルト５０を支持台４０からアキュムレータ３の上端面３ａまで斜め上方向に掛けているのに対して、第３実施形態では水平ベルト２５０をアキュムレータ２０３に周方向に沿って掛けている点において、第１実施形態に係る圧縮機と異なっている。なお、その他の構成は、上記第１実施形態と同様であるため、同じ符号を用いて適宜その説明を省略する。
【００４８】
図６に示すように、固定機構２０４は、支持台（第２支持台）２４０及び水平ベルト２５０を有する。支持台２４０及び水平ベルト２５０は、大径部２３３の下端面（軸方向端面）２３３ｂに当接している。大径部２３３は、アキュムレータ２０３の上部材（第１部材）２３１の下端部に設けられ、上部材２３１の外周面の全周から径方向外側に向かって突出するように形成されている。また、本実施形態の大径部２３３は、アキュムレータ２０３の軸方向の中央付近に設けられている。大径部２３３の内側には下部材（第２部材）２３２が配置され、下部材２３２は大径部２３３の内周面に接続されている。
【００４９】
水平ベルト（外周部材）２５０は、アキュムレータ２０３の下部材（第１部材）２３２の略円筒状の円筒部２３２ｃに周方向に沿って取り付けられ、円筒部２３２ｃの外周面に当接している。図６，７に示すように、水平ベルト２５０の一端部の係止爪部２５１は、支持台２４０の折り返し部２４６に形成された開口に挿通し、折り返し部２４６に係止している。また、図７に示すように、水平ベルト２５０の他端部のネジ止め部２５２は、折り返し部２４７にネジ２６０により固定されている。
【００５０】
水平方向について、アキュムレータ２０３がケーシング２と反対側に向かって移動しようとすると、図６に示すように、水平ベルト２５０がアキュムレータ２０３を押圧することにより、ケーシング２に向かった水平方向の力Ｆ３ａが作用する。これにより、アキュムレータ２０３がケーシング２と反対側に向かって移動するのを規制できる。また、アキュムレータ２０３が下方向に移動しようとすると、支持台２４０及び水平ベルト２５０が大径部２３３を押圧することにより、上方向の力Ｆ３ｂが作用する。これにより、アキュムレータ２０３が下方向に移動するのを規制できる。
【００５１】
以上のように、本実施形態の圧縮機２０１では、固定機構２０４により、アキュムレータ２０３がケーシング２に対して水平方向に移動するのを規制できると共に、アキュムレータ２０３が下方向に移動するのを規制できるため、アキュムレータ２０３が水平方向に振動するのを抑制できるとともに、下方向に振動するのを抑制できる。
【００５２】
また、本実施形態の圧縮機２０１では、支持台２４０及び水平ベルト２５０がアキュムレータ２０３の外周面に周方向に沿って当接していることにより、アキュムレータ２０３の水平方向への移動を規制できる。また、支持台２４０及び水平ベルト２５０が、アキュムレータ２０３の大径部２３３の下端面２３３ｂに当接することにより、アキュムレータ２０３が下方向に移動するのを規制できる。したがって、簡易な構成で、アキュムレータ２０３が、水平方向及び下方向に振動するのを抑制できる。
【００５３】
〔第４実施形態〕
次に、図８，９を参照しつつ、本発明の第４実施形態について説明する。第４実施形態の圧縮機は、第１実施形態では上斜め掛けベルト５０を支持台４０からアキュムレータ３の上端面３ａまで斜め上方向に掛けているのに対して、第４実施形態では水平ベルト３５０をアキュムレータ３０３に周方向に沿って掛けている点において、第１実施形態に係る圧縮機と異なっている。なお、その他の構成は、上記第１実施形態と同様であるため、同じ符号を用いて適宜その説明を省略する。
【００５４】
図８に示すように、アキュムレータ３０３は、上部材（第２部材）３３１と、下部材（第１部材）３３２とを有する。下部材３３２の上端部には、上部材３３１の略円筒状の円筒部３３１ｃより径が大きな大径部（突出部）３３３が設けられている。大径部３３３は、下部材３３２の外周面の全周から径方向外側に向かって突出するように形成され、アキュムレータの軸方向中央よりもやや下方に設けられている。大径部３３３の内側には上部材３３１が配置され、上部材３３１は大径部３３３の内周面に接続されている。
【００５５】
図８に示すように、固定機構３０４は、支持台（第２支持台）３４０及び水平ベルト３５０を有する。支持台３４０及び水平ベルト３５０は、大径部３３３の上端面（軸方向端面）３３３ａに当接している。
【００５６】
水平ベルト（外周部材）３５０は、アキュムレータ３０３の上部材３３１の円筒部３３１ｃに周方向に沿って取り付けられ、円筒部３３１ｃの外周面に当接している。図８，９に示すように、水平ベルト３５０の一端部の係止爪部３５１は、支持台３４０の折り返し部３４６に形成された開口に挿通し、折り返し部３４６に係止している。また、図９に示すように、水平ベルト３５０の他端部のネジ止め部３５２は、折り返し部３４７にネジ３６０により固定されている。
【００５７】
水平方向について、アキュムレータ３０３がケーシング２と反対側に向かって移動しようとすると、図８に示すように、水平ベルト３５０がアキュムレータ３０３を押圧することにより、ケーシング２に向かった水平方向の力Ｆ４ａが作用する。これにより、アキュムレータ３０３がケーシング２と反対側に向かって移動するのを規制できる。また、アキュムレータ３０３が上方向に移動しようとすると、支持台３４０及び水平ベルト３５０が大径部３３３を押圧することにより、下方向の力Ｆ４ｂが作用する。これにより、アキュムレータ３０３が上方向に移動するのを規制できる。
【００５８】
以上のように、本実施形態の圧縮機３０１では、固定機構３０４により、アキュムレータ３０３がケーシング２に対して水平方向に移動するのを規制できると共に、アキュムレータ３０３が上方向に移動するのを規制できるため、アキュムレータ３が水平方向に振動するのを抑制できるとともに、上方向に振動するのを抑制できる。
【００５９】
また、本実施形態の圧縮機３０１では、支持台３４０及び水平ベルト３５０がアキュムレータ３０３の外周面に周方向に沿って当接していることにより、アキュムレータ３０３の水平方向への移動を規制できる。また。支持台３４０及び水平ベルト３５０が、アキュムレータ３０３の大径部３３３の上端面３３３ａに当接することにより、アキュムレータ３０３が上方向に移動するのを規制できる。したがって、簡易な構成で、アキュムレータ３０３が、水平方向及び上方向に振動するのを抑制できる。
【００６０】
〔第５実施形態〕
次に、図１０，１１を参照しつつ、本発明の第５実施形態について説明する。第５実施形態の圧縮機は、第１実施形態では、固定機構４が支持台４０及び上斜め掛けベルト５０を有するのに対して、第５実施形態では、固定機構４０４が支持台４４０、水平ベルト４５０及び支持部材４７０を有する点において、第１実施形態に係る圧縮機と異なっている。なお、その他の構成は、上記第１実施形態と同様であるため、同じ符号を用いて適宜その説明を省略する。
【００６１】
<水平ベルト>
図１０に示すように、水平ベルト（外周部材）４５０は、アキュムレータ３の下部材３２の円筒部３２ｃに周方向に沿って取り付けられ、円筒部３２ｃの外周面に当接している。水平ベルト４５０の一端部の係止爪部４５１は、支持台４４０の折り返し部４４６に形成された開口に挿通し、折り返し部４４６に係止している。また、図１１に示すように、水平ベルト４５０の他端部のネジ止め部４５２は、折り返し部４４７にネジ４６０により固定されている。
【００６２】
<支持部材>
図１０に示すように、支持部材（第１支持部材）４７０は、ケーシング２の本体２１に固定されているとともに、アキュムレータ３の曲面状の下端面３ｂに当接している。図１２に示すように、支持部材４７０は、後側面に形成された固定面４７１と、上面から前側面にかけて形成された当接面４７２とを有する。固定面４７１は、ケーシング２の本体２１に固定され、略凹状に緩やかに湾曲している。また、当接面４７２は、アキュムレータ３の下端面３ｂに当接し、下端面３ｂに沿った湾曲状に形成されている。
【００６３】
次に、水平ベルト４５０及び支持部材４７０によりアキュムレータ３に作用する力を、図１０を参照しつつ説明する。
【００６４】
水平方向について、アキュムレータ３がケーシング２と反対側に向かって移動しようとすると、水平ベルト４５０がアキュムレータ３を押圧することにより、ケーシング２に向かった水平方向の力Ｆ６ａが作用する。これにより、アキュムレータ３がケーシング２と反対側に移動するのを規制できる。
【００６５】
また、アキュムレータ３が下方に移動しようとしたり、水平方向についてケーシング２に向かって移動しようとしたりすると、支持部材４７０がアキュムレータ３の下端面３ｂを押圧することにより、ケーシング２と反対側に向かった斜め上方向の力Ｆ７が作用する。力Ｆ７は、ケーシング２と反対側に向かって作用する水平方向の力Ｆ７ａと、上方向に作用する力Ｆ７ｂとに分けられる。力Ｆ７ａにより、アキュムレータ３がケーシング２に向かって移動するのを規制でき、力Ｆ７ｂにより、アキュムレータ３が下方向に移動するのを規制できる。
【００６６】
以上のように、本実施形態の圧縮機４０１では、固定機構４０４により、アキュムレータ３がケーシング２に対して水平方向に移動するのを規制できると共に、アキュムレータ３が下方向に移動するのを規制できるため、アキュムレータ３が水平方向に振動するのを抑制できるとともに、下方向に振動するのを抑制できる。
【００６７】
また、本実施形態の圧縮機４０１では、支持部材４７０をケーシング２に固定するとともに、アキュムレータ３の下端面３ｂに当接させることにより、簡易な構成で、アキュムレータ３が水平方向に移動するのを規制できるとともに、下方向に移動するのを規制できる。
【００６８】
〔第６実施形態〕
次に、図１３〜１５を参照しつつ、本発明の第６実施形態について説明する。第６実施形態の圧縮機は、第１実施形態では、固定機構４が支持台４０及び上斜め掛けベルト５０を有するのに対して、第６実施形態では、固定機構５０４が支持台５４０、水平ベルト５５０及び支持部材５７０を有する点において、第１実施形態に係る圧縮機と異なっている。なお、その他の構成は、上記第１実施形態と同様であるため、同じ符号を用いて適宜その説明を省略する。
【００６９】
<水平ベルト>
図１３に示すように、水平ベルト（外周部材）５５０は、アキュムレータ３の下部材３２の円筒部３２ｃに周方向に沿って取り付けられ、胴部３ｃの外周面に当接している。図１３，１４に示すように、水平ベルト５５０の一端部の係止爪部５５１は、支持台５４０の折り返し部５４６に形成された開口に挿通し、折り返し部５４６に係止している。また、図１４に示すように、水平ベルト５５０の他端部のネジ止め部５５２は、折り返し部５４７にネジ５６０により固定されている。
【００７０】
<支持部材>
図１３に示すように、支持部材（第２支持部材）５７０は、ケーシング２の吸入管取り付け部１７に固定されているとともに、アキュムレータ３の曲面状の下端面３ｂに当接している。図１５に示すように、支持部材５７０は、下端部に半円柱状の空間が形成されており、下側面に形成された湾曲状の固定面５７１と、上面から前側面にかけて形成された当接面５７２とを有する。固定面５７１は、ケーシング２の吸入管取り付け部１７に固定される。また、当接面５７２は、アキュムレータ３の下端面３ｂに当接し、下端面３ｂに沿った湾曲状に形成されている。
【００７１】
次に、水平ベルト５５０及び支持部材５７０によりアキュムレータ３に作用する力を、図１３を参照しつつ説明する。
【００７２】
水平方向について、アキュムレータ３がケーシング２と反対側に向かって移動しようとすると、水平ベルト５５０がアキュムレータ３を押圧することにより、ケーシング２に向かった水平方向の力Ｆ８ａが作用する。これにより、アキュムレータ３がケーシング２と反対側に移動するのを規制できる。
【００７３】
また、アキュムレータ３が下方向に移動しようとしたり、水平方向についてケーシング２に向かって移動しようとしたりすると、支持部材５７０がアキュムレータ３の下端面３ｂを押圧することにより、ケーシング２と反対側に向かった斜め上方向の力Ｆ９が作用する。力Ｆ９は、ケーシング２と反対側に向かって作用する水平方向の力Ｆ９ａと、上方向に作用する力Ｆ９ｂとに分けられる。力Ｆ９ａにより、アキュムレータ３がケーシング２に向かって移動するのを規制でき、力Ｆ９ｂにより、アキュムレータ３が下方向に移動するのを規制できる。
【００７４】
以上のように、本実施形態の圧縮機５０１では、固定機構５０４により、アキュムレータ３がケーシング２に対して水平方向に移動するのを規制できると共に、アキュムレータ３が下方向に移動するのを規制できるため、アキュムレータ３が水平方向及び下方向に振動するのを抑制することができる。
【００７５】
また、本実施形態の圧縮機５０１では、支持部材５７０を吸入管取り付け部１７に固定するとともに、アキュムレータ３の下端面３ｂに当接させることにより、簡易な構成で、アキュムレータ３が水平方向に移動するのを規制できるとともに、下方向に移動するのを規制できる。
【００７６】
次に、その他の変形例について説明する。変形例１〜１０は、下記の表１に示すように、第１〜第６実施形態で用いた支持台、ベルト（上斜め掛けベルト、下斜め掛けベルト、水平ベルト）及び支持部材を適用した例である。
【００７７】
【表１】
2013160207.tif 000003
【００７８】
上記の表１において、「大径部に当接（下方向に規制）」とは、支持台やベルトが大径部の下端面に当接することにより、アキュムレータの下方向への移動を規制することを示し、「大径部に当接（上方向に規制）」は、支持台やベルトが大径部の上端面に当接することにより、アキュムレータの上方向への移動を規制することを示す。また、表１において、「ケーシング固定支持部材(下方向規制)」とは、第５実施形態の支持部材４７０を用いることにより、アキュムレータの下方向への移動を規制することを示し、「吸入管取り付け部固定支持部材(下方向規制)」とは、第６実施形態の支持部材５７０を用いることにより、アキュムレータ下方向への移動を規制することを示す。なお、下記の変形例において、上述した第１〜第６実施形態と同様な構成は、同じ符号を用いて適宜その説明を省略する。
【００７９】
〔変形例１〕
図１６に示すように、変形例１の圧縮機６０１では、固定機構６０４が、支持台４０と、上斜め掛けベルト５０と、支持部材４７０とを有する。固定機構６０４を用いることにより、アキュムレータ３のケーシング２に対する水平方向への移動規制を強化できると共に、アキュムレータ３の上下方向への移動を規制できる。これにより、アキュムレータ３が水平方向及び上下方向に振動するのを抑制することができる。
【００８０】
〔変形例２〕
図１７に示すように、変形例２の圧縮機７０１では、固定機構７０４が、支持台４０と、上斜め掛けベルト５０と、支持部材５７０とを有する。固定機構７０４を用いることにより、アキュムレータ３のケーシング２に対する水平方向への移動規制を強化できると共に、アキュムレータ３の上下方向への移動を規制できる。これにより、アキュムレータ３が水平方向及び上下方向に振動するのを抑制することができる。
【００８１】
〔変形例３〕
図１８に示すように、変形例３の圧縮機８０１では、第１実施形態の固定機構４を用いており、支持台４０がアキュムレータ２０３の大径部２３３の下端面２３３ｂに当接している。また、上斜め掛けベルト５０がアキュムレータ２０３の上端面２０３ａに当接している。本構成によると、アキュムレータ２０３がケーシング２に対して水平方向に移動するのを規制できると共に、アキュムレータ２０３が上下方向に移動するのを規制できる。これにより、アキュムレータ２０３が水平方向及び上下方向に振動するのを抑制することができる。
【００８２】
〔変形例４〕
図１９に示すように、変形例４の圧縮機９０１では、第２実施形態の固定機構１０４を用いており、支持台１４０がアキュムレータ３０３の大径部３３３の上端面３３３ａに当接している。また、下斜め掛けベルト１５０がアキュムレータ３０３の下端面３０３ｂに当接している。本構成によると、アキュムレータ３０３がケーシング２に対して水平方向に移動するのを規制できるとともに、アキュムレータ３０３が上下方向に移動するのを規制できる。これにより、アキュムレータ３０３が水平方向及び上下方向に振動するのを抑制することができる。
【００８３】
〔変形例５〕
図２０に示すように、変形例５の圧縮機１００１では、固定機構１００４が、支持台１０４０と、上斜め掛けベルト５０と、水平ベルト２５０とを有する。固定機構１００４を用いることにより、アキュムレータ３のケーシング２に対する水平方向への移動規制を強化できると共に、アキュムレータ３の上方向への移動を規制できる。これにより、アキュムレータ３が水平方向及び上方向に振動するのを抑制することができる。
【００８４】
〔変形例６〕
図２１に示すように、変形例６の圧縮機１１０１は、固定機構１１０４が、支持台１１４０と、下斜め掛けベルト１５０と、水平ベルト２５０とを有する。固定機構１１０４を用いることにより、アキュムレータ３のケーシング２に対する水平方向への移動規制を強化できると共に、アキュムレータ３の下方向への移動を規制できる。これにより、アキュムレータ３が水平方向及び下方向に振動するのを抑制することができる。
【００８５】
〔変形例７〕
図２２に示すように、変形例７の圧縮機１２０１は、固定機構１２０４が、支持台１２４０と、上斜め掛けベルト５０と、水平ベルト２５０と、支持部材４７０とを有する。固定機構１２０４を用いることにより、アキュムレータ３のケーシング２に対する水平方向への移動規制を強化できると共に、アキュムレータ３の上下方向への移動を規制できる。これにより、アキュムレータ３が水平方向及び上下方向に振動するのを抑制することができる。
【００８６】
〔変形例８〕
図２３に示すように、変形例８の圧縮機１３０１は、固定機構１３０４が、支持台１３４０と、上斜め掛けベルト５０と、水平ベルト２５０と、支持部材５７０とを有する。固定機構１３０４を用いることにより、アキュムレータ３のケーシング２に対する水平方向への移動規制を強化できると共に、アキュムレータ３の上下方向への移動を規制できる。これにより、アキュムレータ３が水平方向及び上下方向に振動するのを抑制することができる。
【００８７】
〔変形例９〕
図２４に示すように、変形例９の圧縮機１４０１は、固定機構１４０４が、支持台１４４０と、下斜め掛けベルト１５０と、水平ベルト２５０とを有し、支持台１４４０及び水平ベルト２５０がアキュムレータ３０３の大径部３３３の上端面３３３ａに当接している。本構成によると、アキュムレータ３０３のケーシング２に対する水平方向への移動規制を強化できると共に、アキュムレータ３０３の上下方向への移動を規制できる。これにより、アキュムレータ３０３が水平方向及び上下方向に振動するのを抑制することができる。
【００８８】
〔変形例１０〕
図２５に示すように、変形例１０の圧縮機１５０１では、固定機構１５０４が、支持台１５４０と、上斜め掛けベルト５０と、水平ベルト２５０とを有し、支持台１５４０及び水平ベルト２５０がアキュムレータ２０３の大径部２３３の下端面２３３ｂに当接している。上斜め掛けベルト５０は、アキュムレータ２０３の上端面２０３ａに当接している。本構成によると、アキュムレータ２０３のケーシング２に対する水平方向への移動規制を強化できると共に、アキュムレータ２０３の上下方向への移動を規制できる。これにより、アキュムレータ２０３が水平方向及び上下方向に振動するのを抑制することができる。
【００８９】
なお、上述した変形例１〜１０は例示であり、支持台、ベルト及び支持部材の組み合わせは変更可能である。
【００９０】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００９１】
例えば、上述の第１実施形態では上斜め掛けベルト５０を用い、第２実施形態では下斜め掛けベルト１５０を用いたが、上斜め掛けベルト及び下斜め掛けベルトの両方を用いてもよい。また、上斜め掛けベルト、下斜め掛けベルト及び水平ベルトの全てを用いてもよい。
【００９２】
また、上述の第３実施形態及び第４実施形態等では、突出部としてアキュムレータ２０３（３０３）に設けられた大径部２３３（３３３）が、アキュムレータ２０３（３０３）の全周に設けられる場合について説明したが、突出部（大径部）はアキュムレータの全周に設けられなくてもよく、アキュムレータの周方向の一部に設けられてもよい。また、突出部は、アキュムレータの上部材と下部材との接続部に設けられなくてもよい。
【００９３】
さらに、上述の第５実施形態では、支持部材４７０をアキュムレータ３の下端面３ｂに当接させたが、支持部材４７０をアキュムレータ３の上端面３ａに当接させてもよい。
【００９４】
加えて、上述の第５実施形態では、ケーシング２に固定される支持部材４７０を用い、第６実施形態では、吸入管取り付け部１７に固定される支持部材５７０を用いたが、支持部材４７０及び支持部材５７０の両方を用いてもよい。
【００９５】
また、上述の第５実施形態では、水平ベルト２５０と支持部材４７０とを用い、第６実施形態では水平ベルト２５０と支持部材５７０とを用いたが、支持部材４７０又は支持部材５７０だけを用いてもよい。
【００９６】
さらに、上述の第３実施形態及び第４実施形態では、支持台２４０（３４０）及び水平ベルト２５０（３５０）の両方が、アキュムレータ２０３（３０３）の大径部２３３（３３３）の端面に当接している場合について説明したが、支持台及び水平ベルトの一方が大径部の端面に当接していてもよい。
【００９７】
加えて、上述の変形例５〜変形例１０では、上斜め掛けベルト及び水平ベルト（又は、下斜め掛けベルト及び水平ベルト）が同じ支持台に固定されているが、支持台を２つ用いることにより、上斜め掛けベルトと水平ベルトとをそれぞれ異なる支持台に固定してもよい。同様に、下斜め掛けベルトと水平ベルトとをそれぞれ異なる支持台に固定してもよい。
【００９８】
また、支持台及びベルトの形状、位置及び数等は、上述の実施形態及び変形例に示すものに限られず変更可能である。
【００９９】
さらに、上述の実施形態及び変形例では、筒状部材がアキュムレータである場合について説明したが、筒状部材はアキュムレータに限定されない。例えば、冷媒にＣＯ２を用いる吸入マフラー等でもよい。
【０１００】
加えて、上述の実施形態及び変形例では、ケーシング２の軸方向を上下方向として説明したが、ケーシング２の軸方向は上下方向に限られない。
【産業上の利用可能性】
【０１０１】
本発明を利用すれば、アキュムレータの振動を抑制することができる。
【符号の説明】
【０１０２】
１，１０１，２０１，３０１，４０１，５０１，６０１，７０１，８０１，９０１，１００１，１１０１，１２０１，１３０１  圧縮機
２  ケーシング
３，２０３，３０３  アキュムレータ（筒状部材）  ３ａ，２０３ａ，３３３ａ  上端面
３ｂ，３０３ｂ，２３３ｂ  下端面
４，１０４，２０４，３０４，４０４，５０４，７０４，８０４，９０４，１０００４，１１０４，１２０４，１３０４，１４０４，１５０４  固定機構
１７  吸入管取り付け部
３１，２３１  上部材（第１部材）
３２，２３２  下部材（第２部材）
３３，２３３，３３３  大径部（突出部）
４０，１４０  支持台（第１支持台）
５０  上斜め掛けベルト（傾斜部材）
１５０  下斜め掛けベルト（傾斜部材）
２４０，３４０，４４０，５４０  支持台（第２支持台）
２５０，３５０，４５０，５５０  水平ベルト（外周部材）
３３１  上部材（第２部材）
３３２  下部材（第１部材）
４７０  支持部材（第１支持部材）
５７０  支持部材（第２支持部材）
【図１】
2013160207.tif 000004
【図２】
2013160207.tif 000005
【図３】
2013160207.tif 000006
【図４】
2013160207.tif 000007
【図５】
2013160207.tif 000008
【図６】
2013160207.tif 000009
【図７】
2013160207.tif 000010
【図８】
2013160207.tif 000011
【図９】
2013160207.tif 000012
【図１０】
2013160207.tif 000013
【図１１】
2013160207.tif 000014
【図１２】
2013160207.tif 000015
【図１３】
2013160207.tif 000016
【図１４】
2013160207.tif 000017
【図１５】
2013160207.tif 000018
【図１６】
2013160207.tif 000019
【図１７】
2013160207.tif 000020
【図１８】
2013160207.tif 000021
【図１９】
2013160207.tif 000022
【図２０】
2013160207.tif 000023
【図２１】
2013160207.tif 000024
【図２２】
2013160207.tif 000025
【図２３】
2013160207.tif 000026
【図２４】
2013160207.tif 000027
【図２５】
2013160207.tif 000028